(57)【要約】【課題】色シェーディングを軽減し、画質の向上を図ることができる撮像装置を提供する。【解決手段】実際の撮影時に取得した画像処理前のカラーの画像信号に基づいて１画面内の複数のブロック毎に各色成分の平均値を算出し（ステップＳ１４〜Ｓ１８）、その算出結果に基づいて予め設定したシェーディング補正特性を示す多項式の各係数であるシェーディング補正係数（ａ〜ｅ）を修正する。即ち、撮影で取得した画像信号をシェーディング補正に反映させる。そして、この修正されたシェーディング補正係数に基づいてシェーディング補正用の変換テーブルを作成し（ステップＳ３０）、この変換テーブルを用いて本撮影時に取得した画像信号のシェーディング補正を実施し（ステップＳ３２）、色シェーディングを軽減できるようにする。【選択図】  図３
2008053931.tif 000002
【特許請求の範囲】
【請求項１】
本撮影されたカラーの画像信号に対してシェーディング補正特性を設定するシェーディング補正特性設定手段と、
本撮影前又は本撮影時に取得した画像処理前のカラーの画像信号に基づいて前記設定したシェーディング補正特性を修正するシェーディング補正特性修正手段と、
前記シェーディング補正修正手段によって修正されたシェーディング補正特性に基づいて本撮影時に取得した画像信号のシェーディング補正を行うシェーディング補正手段と、
を備えたことを特徴とする撮像装置。
【請求項２】
前記シェーディング補正特性設定手段は、複数のシェーディング補正特性を記憶する記憶手段と、前記記憶手段に記憶された複数のシェーディング補正特性から撮影条件に適したシェーディング補正特性を選択して設定するシェーディング補正特性選択手段とを有することを特徴とする請求項１に記載の撮像装置。
【請求項３】
前記記憶手段は、前記シェーディング補正特性を、シェーディング補正特性を示す多項式の各係数であるシェーディング補正係数として記憶することを特徴とする請求項２に記載の撮像装置。
【請求項４】
前記シェーディング補正特性修正手段は、色シェーディングを軽減するように前記シェーディング補正係数を修正することを特徴とする請求項３に記載の撮像装置。
【請求項５】
前記シェーディング補正特性修正手段は、本撮影前又は本撮影時に取得した画像処理前のカラーの画像信号に基づいて１画面内の複数のブロック毎に各色成分の平均値を算出する平均値算出手段を含み、該平均値算出手段によって算出された算出結果に基づいて前記設定したシェーディング補正特性を修正することを特徴とする請求項１から４のいずれかに記載の撮像装置。
【請求項６】
前記シェーディング補正特性修正手段は、本撮影前の自動露出調整時又は自動焦点調整時に取得した画像信号に基づいて１画面内の複数のブロック毎に各色成分の平均値を算出する平均値算出手段を含み、該平均値算出手段によって算出された算出結果に基づいて前記設定したシェーディング補正特性を修正することを特徴とする請求項１から４のいずれかに記載の撮像装置。
【請求項７】
前記シェーディング補正手段は、前記修正したシェーディング補正特性に基づいてシェーディング補正用の変換テーブルを作成し、該変換テーブルを用いて本撮影時に取得した画像信号のシェーディング補正を行うことを特徴とする請求項１から６のいずれかに記載の撮像装置。
【請求項８】
前記シェーディング補正手段は、前記修正したシェーディング補正特性に基づいてシェーディング補正用の変換テーブルを作成し、該変換テーブルを用いて本撮影時に取得した画像信号をＡ／Ｄ変換器から画像処理用のワークメモリに送られる前にシェーディング補正を行うことを特徴とする請求項６に記載の撮像装置。
【請求項９】
前記シェーディング補正特性修正手段は、本撮影前の自動露出調整時又は自動焦点調整時に取得した画像信号に基づいて１画面内の複数のブロック毎に各色成分の第１の平均値を算出するとともに、本撮影時に取得した画像信号に基づいて１画面内の複数のブロック毎に各色成分の第２の平均値を算出する平均値算出手段を含み、前記第１の平均値又は前記第２の平均値に基づいて前記選択したシェーディング補正特性を修正し、
前記シェーディング補正手段は、前記第１の平均値に基づいて修正されたシェーディング補正特性に基づいてシェーディング補正用の変換テーブルを作成し、該変換テーブルを用いて本撮影時に取得した画像信号をＡ／Ｄ変換器から画像処理用のワークメモリに送られる前にシェーディング補正を行う第１のシェーディング補正手段と、前記第２の平均値に基づいて修正されたシェーディング補正特性に基づいてシェーディング補正用の変換テーブルを作成し、該変換テーブルを用いて本撮影時に取得して前記ワークメモリに格納された画像信号のシェーディング補正を行う第２のシェーディング補正手段とを有し、
前記第１のシェーディング補正手段と第２のシェーディング補正手段とを切り替えて使用する切替手段を更に備えたことを特徴とする請求項１から４のいずれかに記載の撮像装置。
【請求項１０】
前記切替手段は、前記第１の平均値に基づいて前記第１のシェーディング補正手段と第２のシェーディング補正手段とを切り替えることを特徴とする請求項９に記載の撮像装置。
【請求項１１】
前記切替手段は、シャッターボタンの半押しによる撮影準備動作とシャッターボタンの全押しによる本撮影動作との間隔を計測するタイマーを有し、前記計測した間隔が一定時間以内の場合には、前記第１のシェーディング補正手段に切り替え、前記計測した間隔が一定時間以を越えると、前記第２のシェーディング補正手段に切り替えることを特徴とする請求項９に記載の撮像装置。
【発明の詳細な説明】
【技術分野】
【０００１】
本発明は撮像装置に係り、特に撮影条件に応じて適切なシェーディング補正を行う技術に関する。
【背景技術】
【０００２】
特許文献１には、撮像素子の画素群の水平方向と垂直方向をそれぞれ所定数から成るようにブロック化し、垂直方向の中央位置であって水平方向の各ブロックについてのみシェーディング補正係数を算出して不揮発性メモリに格納し、撮影時には、不揮発性メモリからシェーディング補正係数を読み出して、シェーディング補正を行うディジタルスチルカメラのシェーディング補正装置が記載されている。また、シェーディング補正係数は、撮影時のズームポジション毎及び又は絞り径毎に算出されることが記載されている。
【０００３】
特許文献２には、１画面を複数の分割領域（測定領域）に分割し、各測定領域における画像信号の変化率（色差信号の標準偏差）を検出し、この変化率が所定値よりも大きいと判定された場合には、その測定領域を複数の領域に再分割し、再分割された複数の測定領域ごとに画像信号の変化率を検出し、このようにして検出された変化率を基に、シェーディング補正値を求めるシェーディング処理装置が記載されている。
【特許文献１】特開平１１−２７５４５２号公報
【特許文献２】特開２００５−３０９６５１号公報
【発明の開示】
【発明が解決しようとする課題】
【０００４】
特許文献１及び２には、予め測定して記憶しておくシェーディング補正値のデータ量を少なくする技術が記載されているが、いずれも実際の撮影時に取得した画像信号に基づいて色シェーディング（色ムラ）を軽減するようにシェーディング補正を行う技術に関する記載がない。
【０００５】
例えば、輝度の高い領域において、予め設定されているシェーディング補正値に基づいてシェーディング補正を行うと、シェーディング補正のために３原色（Ｒ、Ｇ、Ｂ）の画像信号のうちの一部の色の画像信号が飽和し、色シェーディングとなって現れる場合があるが、特許文献１及び２に記載のものは、この種の色シェーディングを軽減することができない。
【０００６】
本発明はこのような事情に鑑みてなされたもので、色シェーディングを軽減し、画質の向上を図ることができる撮像装置を提供することを目的とする。
【課題を解決するための手段】
【０００７】
前記目的を達成するために請求項１に係る撮像装置は、本撮影されたカラーの画像信号に対してシェーディング補正特性を設定するシェーディング補正特性設定手段と、本撮影前又は本撮影時に取得した画像処理前のカラーの画像信号に基づいて前記設定したシェーディング補正特性を修正するシェーディング補正特性修正手段と、前記シェーディング補正修正手段によって修正されたシェーディング補正特性に基づいて本撮影時に取得した画像信号のシェーディング補正を行うシェーディング補正手段と、を備えたことを特徴としている。
【０００８】
即ち、実際の撮影時に取得した画像処理前のカラーの画像信号に基づいて予め設定したシェーディング補正特性を修正する。即ち、撮影で取得した画像信号をシェーディング補正に反映させる。そして、この修正されたシェーディング補正特性に基づいて本撮影時に取得した画像信号のシェーディング補正を行うようにしている。
【０００９】
請求項２に示すように請求項１に記載の撮像装置において、前記シェーディング補正特性設定手段は、複数のシェーディング補正特性を記憶する記憶手段と、前記記憶手段に記憶された複数のシェーディング補正特性から撮影条件に適したシェーディング補正特性を選択して設定するシェーディング補正特性選択手段とを有することを特徴としている。
【００１０】
前記撮影条件としては、シャッタースピード、撮影感度（ゲイン）、被写体の明るさ、被写界の色温度や被写界の光源種、絞り径、ズーム倍率、撮影モード等が考えられる。
【００１１】
請求項３に示すように請求項２に記載の撮像装置において、前記記憶手段は、前記シェーディング補正特性を、シェーディング補正特性を示す多項式の各係数であるシェーディング補正係数として記憶することを特徴としている。
【００１２】
特許文献１、２のようにシェーディング補正用の変換テーブル（シェーディング補正値）を記憶するのではなく、多項式の各係数（シェーディング補正係数）のみを記憶するため、記憶手段の記憶容量を少なくすることができる。
【００１３】
請求項４に示すように請求項３に記載の撮像装置において、前記シェーディング補正特性修正手段は、色シェーディングを軽減するように前記シェーディング補正係数を修正することを特徴としている。例えば、Ｒ、Ｇ、Ｂの画像信号のうちの特定の色の画像信号の飽和によって色シェーディングが現れるような場合には、予め設定したシェーディング補正特性によるシェーディング補正を抑圧するようにシェーディング補正係数を修正し、色シェーディングを軽減するようにしている。
【００１４】
請求項５に示すように請求項１から４のいずれかに記載の撮像装置において、前記シェーディング補正特性修正手段は、本撮影前又は本撮影時に取得した画像処理前のカラーの画像信号に基づいて１画面内の複数のブロック毎に各色成分の平均値を算出する平均値算出手段を含み、該平均値算出手段によって算出された算出結果に基づいて前記設定したシェーディング補正特性を修正することを特徴としている。即ち、前記平均値算出手段によって算出された算出結果に基づいて色シェーディングの状況を判断し、色シェーディングを軽減するように前記シェーディング補正特性を修正するようにしている。
【００１５】
請求項６に示すように請求項１から４のいずれかに記載の撮像装置において、前記シェーディング補正特性修正手段は、本撮影前の自動露出調整時又は自動焦点調整時に取得した画像信号に基づいて１画面内の複数のブロック毎に各色成分の平均値を算出する平均値算出手段を含み、該平均値算出手段によって算出された算出結果に基づいて前記設定したシェーディング補正特性を修正することを特徴としている。これにより、本撮影前にシェーディング補正特性を修正することができ、本撮影動作の高速化を図ることができる。
【００１６】
請求項７に示すように請求項１から６のいずれかに記載の撮像装置において、前記シェーディング補正手段は、前記修正したシェーディング補正特性に基づいてシェーディング補正用の変換テーブルを作成し、該変換テーブルを用いて本撮影時に取得した画像信号のシェーディング補正を行うことを特徴としている。シェーディング補正用の変換テーブルは、撮影毎に作成するため、複数の変換テーブルをメモリに保持する場合に比べてメモリ容量が少なくて済む。
【００１７】
請求項８に示すように請求項６に記載の撮像装置において、前記シェーディング補正手段は、前記修正したシェーディング補正特性に基づいてシェーディング補正用の変換テーブルを作成し、該変換テーブルを用いて本撮影時に取得した画像信号をＡ／Ｄ変換器から画像処理用のワークメモリに送られる前にシェーディング補正を行うことを特徴としている。本撮影によって得られた画像信号がワークメモリに格納されるときには、シェーディング補正が完了しており、撮影動作（画像処理）の高速化を図ることができる。
【００１８】
請求項９に示すように請求項１から４のいずれかに記載の撮像装置において、前記シェーディング補正特性修正手段は、本撮影前の自動露出調整時又は自動焦点調整時に取得した画像信号に基づいて１画面内の複数のブロック毎に各色成分の第１の平均値を算出するとともに、本撮影時に取得した画像信号に基づいて１画面内の複数のブロック毎に各色成分の第２の平均値を算出する平均値算出手段を含み、前記第１の平均値又は前記第２の平均値に基づいて前記選択したシェーディング補正特性を修正し、前記シェーディング補正手段は、前記第１の平均値に基づいて修正されたシェーディング補正特性に基づいてシェーディング補正用の変換テーブルを作成し、該変換テーブルを用いて本撮影時に取得した画像信号をＡ／Ｄ変換器から画像処理用のワークメモリに送られる前にシェーディング補正を行う第１のシェーディング補正手段と、前記第２の平均値に基づいて修正されたシェーディング補正特性に基づいてシェーディング補正用の変換テーブルを作成し、該変換テーブルを用いて本撮影時に取得して前記ワークメモリに格納された画像信号のシェーディング補正を行う第２のシェーディング補正手段とを有し、前記第１のシェーディング補正手段と第２のシェーディング補正手段とを切り替えて使用する切替手段を更に備えたことを特徴としている。
【００１９】
即ち、本撮影前の自動露出調整時又は自動焦点調整時に取得した画像信号に基づいてシェーディング補正特性を修正し、その修正したシェーディング補正特性によって本撮影によって得られた画像信号をワークメモリに格納する前にシェーディング補正を行うか、又は本撮影時に取得した画像信号をワークメモリに格納後、その画像信号に基づいてシェーディング補正特性を修正し、その修正したシェーディング補正特性によって前記画像信号のシェーディング補正を行うかを選択できるようにしている。
【００２０】
請求項１０に示すように請求項９に記載の撮像装置において、前記切替手段は、前記第１の平均値に基づいて前記第１のシェーディング補正手段と第２のシェーディング補正手段とを切り替えることを特徴としている。例えば、暗い画像の場合には、処理時間を優先して第１のシェーディング補正手段を使用し、明るい画像の場合には、色シェーディング補正の精度を優先して第２のシェーディング補正手段を使用するように第１、第２のシェーディング補正手段を切り替える。
【００２１】
請求項１１に示すように請求項９に記載の撮像装置において、前記切替手段は、シャッターボタンの半押しによる撮影準備動作とシャッターボタンの全押しによる本撮影動作との間隔を計測するタイマーを有し、前記計測した間隔が一定時間以内の場合には、前記第１のシェーディング補正手段に切り替え、前記計測した間隔が一定時間以を越えると、前記第２のシェーディング補正手段に切り替えることを特徴としている。即ち、前記計測した間隔が一定時間以内の場合には、撮影準備動作時に取得した画像信号と、本撮像時に取得した画像信号とは近似しているため、処理時間を優先して第１のシェーディング補正手段を使用し、前記計測した間隔が一定時間を越えている場合には、両者の画像信号が大きく異なっている可能性があるため、第２のシェーディング補正手段を使用するように第１、第２のシェーディング補正手段を切り替えるようにしている。
【発明の効果】
【００２２】
本発明によれば、予め設定したシェーディング補正特性を、実際の撮影時に取得した画像処理前のカラーの画像信号に基づいて修正し、その修正したシェーディング補正特性に基づいて本撮影時に取得した画像信号のシェーディング補正を行うようにしたため、色シェーディングをシーンに応じて適切に軽減することができ、画質の向上を図ることができる。
【発明を実施するための最良の形態】
【００２３】
以下、添付図面に従って本発明に係る撮像装置の好ましい実施の形態について説明する。
【００２４】
［撮像装置の構成］
図１は本発明に係る第１実施形態の撮像装置（デジタルカメラ）１０Ａの構成を示すブロック図である。
【００２５】
このデジタルカメラ１０Ａは、静止画や動画の記録及び再生する機能を備えており、操作部１２は、電源ボタン、シャッターボタン、モードレバー、ズームキー、再生ボタン、上下左右キーからなるマルチファンクションの十字キー、メニュー／ＯＫボタン、表示／戻るボタン等を含んでいる。
【００２６】
モードレバーは、回転させることにより、オート撮影モード、マニュアル撮影モード、人物モード、風景モード及び夜景モード等の選択が可能なシーンポジション、及び動画撮像モードのうちのいずれかを設定できるようになっている。また、シャッターボタンは、半押し時にＯＮして自動露出調整（ＡＥ）又は自動焦点調整（ＡＦ）等の撮影準備を行わせるスイッチＳ１と、全押し時にＯＮして本画像の取り込みを行わせるスイッチＳ２とを有している。
【００２７】
表示装置（液晶モニタ）１４は、動画（スルー画）を表示して電子ビューファインダとして使用できるとともに、撮影した記録前の画像（プレビュー画像）やカメラに装填されたメモリカード等の記録媒体１６から読み出した画像等を表示することができる。また、表示装置１４は、カメラの動作モードやホワイトバランス、画像のピクセル数、感度等をマニュアル設定する際の各種のメニュー画面をメニュー／ＯＫボタンの操作に応じて表示させ、十字キー及びメニュー／ＯＫボタンの操作に応じてマニュアル設定項目の設定が可能なグラフィカル・ユーザ・インターフェース（ＧＵＩ）用の画面を表示する。
【００２８】
前記操作部１２から操作信号が入力する中央処理装置（ＣＰＵ）１８は、デジタルカメラ１０Ａ内の各回路を統括制御するもので、カメラ制御プログラムにしたがった処理を実行する。ＣＰＵ１８は、制御バス２０及びデータバス２２に接続されている。
【００２９】
制御バス２０及びデータバス２２には、ＣＰＵ１８の他にＳＤＲＡＭ（シンクロナス・ダイナミックＲＡＭ）２４、ＥＥＰＲＯＭ２６、メモリ制御回路２８、デジタル信号処理回路３０、積算回路３２、シェーディング補正回路３４、圧縮伸長回路３６、表示制御回路３８、及び外部メディア制御回路４０が接続されている。また、Ａ／Ｄ変換回路５４は、データバス２２に接続されている。
【００３０】
ＣＰＵ１８は、ＳＤＲＡＭ２４、ＥＥＰＲＯＭ２６との間で必要なデータの授受を行う。メモリ制御回路２８は、ＣＰＵ１８からの指令によりＳＤＲＡＭ２４、ＥＥＰＲＯＭ２６に対してデータの読み書きを制御する。
【００３１】
ＥＥＰＲＯＭ２６には、カメラ制御プログラム、固体撮像素子の欠陥情報等のカメラ制御に関する各種のパラメータ、及び本発明に係るシェーディング補正係数、該シェーディング補正係数を修正するための修正係数等が格納されている。ＣＰＵ１８は、ＥＥＰＲＯＭ２６に格納されたカメラ制御プログラムをＳＤＲＡＭ２４に展開し、ＳＤＲＡＭ２４をワークメモリとして使用しながら各種処理を実行する。
【００３２】
このデジタルカメラ１０Ａにおいて、操作部１２の電源ボタンがＯＮ操作されると、ＣＰＵ１８はこれを検出し、カメラ内電源をＯＮにし、撮影モードで撮影スタンバイ状態にする。この撮影スタンバイ状態では、ＣＰＵ１８は、通常、表示装置１４に動画（スルー画）を表示させる。
【００３３】
ユーザ（撮影者）は、表示装置１４に表示されるスルー画を見ながらフレーミングしたり、撮影したい被写体を確認したり、撮影後の画像を確認したり、撮影条件を設定したりする。
【００３４】
上記撮影スタンバイ状態時にシャッターボタンが半押しされると、ＣＰＵ１８はこれを検知し、ＡＥ測光、ＡＦ制御を行う。ＡＥ測光時には、固体撮像素子（ＣＣＤ）５０を介して取り込まれる画像信号の積算値等に基づいて被写体の明るさを測光する。この測光した値（測光値）は、本撮影時における絞り４４の絞り値、及びシャッター速度の決定に使用される。尚、本撮影時には、ＣＰＵ１８は、前記測光値に基づいて決定した絞り値に基づいて絞り駆動部５８を介して絞り４４を駆動するとともに、前記測光値に基づいて決定したシャッター速度になるように撮像素子駆動部６０を介してＣＣＤ５０での電荷蓄積時間（いわゆる電子シャッター）を制御する。
【００３５】
また、ＣＰＵ１８は、ＡＦ制御時にはフォーカスレンズを至近から無限遠に対応するレンズ位置に順次移動させるとともに、各レンズ位置毎にＣＣＤ５０を介して取り込まれるＡＦエリアの画像信号に基づいて画像信号の高周波成分を積算した評価値を取得し、この評価値がピークとなるレンズ位置を求め、そのレンズ位置にフォーカスレンズを移動させるコントラストＡＦを行う。
【００３６】
被写体光は、フォーカスレンズ、ズームレンズ等を含む撮影レンズ４２、絞り４４、赤外線カットフィルタ４６、及び光学ローパスフィルタ４８を介してＣＣＤ５０の受光面に入射する。
【００３７】
ＣＣＤ５０は、所定のカラーフィルタ配列（例えば、ハニカム配列、ベイヤ配列）のＲ、Ｇ、Ｂのカラーフィルタが設けられたカラーＣＣＤで構成されており、ＣＣＤ５０の受光面に入射した光は、その受光面に配列された各フォトダイオードによって入射光量に応じた量の信号電荷に変換される。各フォトダイオードに蓄積された信号電荷は、撮像素子駆動部６０から加えられるタイミング信号に従って読み出され、電圧信号（画像信号）としてＣＣＤ５０から順次出力される。
【００３８】
アナログ信号処理回路５２は、ＣＤＳ回路及びアナログアンプを含み、ＣＤＳ回路は、ＣＤＳパルスに基づいてＣＣＤ出力信号を相関二重サンプリング処理し、アナログアンプは、ＣＰＵ１８から加えられる撮影感度設定用ゲインによってＣＤＳ回路から出力される画像信号を増幅する。Ａ／Ｄ変換回路５４は、アナログ信号処理回路５２から出力されたアナログの画像信号をデジタルの画像信号に変換し、この変換された画像信号（Ｒ、Ｇ、ＢのＲＡＷデータ）は、データバス２２を介してＳＤＲＡＭ２４に転送され、ここに一旦蓄えられる。
【００３９】
積算回路３２は、ＳＤＲＡＭ２４に蓄えられたＲ、Ｇ、ＢのＲＡＷデータに基づいて１画面内の複数のブロック毎に各色成分の平均値を算出し、その算出結果をＣＰＵ１６に出力する。
【００４０】
図２（Ａ）及び（Ｂ）はそれぞれ明るいシーン及び暗いシーンを撮影した時のイメージ図である。
【００４１】
同図に示すように撮影画像に対し、ｍ×ｎ画素の範囲で複数のブロック（図２に示す例では、５×５個のブロック）が設定されており、前記積算回路３２は、図２に示す複数のブロック毎にＲ、Ｇ、Ｂの各色成分の平均値を算出する。
【００４２】
ＣＰＵ１８は、ＥＥＰＲＯＭ２６に記憶されている、複数のシェーディング補正特性を示す複数組のシェーディング補正係数から、撮影条件に基づいて最適な１組のシェーディング補正係数を選択し、その選択した１組のシェーディング補正係数をＥＥＰＲＯＭ２６から読み出す。
【００４３】
前記撮影条件としては、シャッタースピード、撮影感度（ゲイン）、被写体の明るさ、被写界の色温度や被写界の光源種、絞り径、ズーム倍率、撮影モード（風景モード、夜景モード）等が考えられる。例えば、上記撮影条件より、暗いシーン（シャッタースピードが遅い、ゲインが高い、被写体が暗い、色温度が低い、夜景モード）の場合は、明るいシーンよりもシェーディング補正量が大きくなるようなシェーディング補正係数を選択する。また、ズームレンズのズーム倍率により画面中央部と周辺部との入射光量が異なるため、ズーム倍率に応じてシェーディング補正係数を選択し、更に絞りの径によっても画面中央部と周辺部との入射光量が異なるため、絞り値に応じてシェーディング補正係数を選択する。
【００４４】
ここで、シェーディング補正係数について説明する。
【００４５】
シェーディング補正値は、画面中心を基準にして上下左右対称のシェーディング補正特性を前提にし、次式に示すように画面中心からの距離ｘを変数とする、多項式で表すことができる。
【００４６】
［数１］
シェーディング補正値＝ａｘ８＋ｂｘ６＋ｃｘ４＋ｄｘ２＋ｅ
１組のシェーディング補正係数は、上記［数１］式における係数（ａ，ｂ，ｃ，ｄ，ｅ）を意味しており、選択可能な複数のシェーディング補正特性に応じて、複数組のシェーディング補正係数（ａ〜ｅ）が予めＥＥＰＲＯＭ２６に記憶されている。
【００４７】
また、ＣＰＵ１８は、積算回路３２で算出された積算結果に基づいてＥＥＰＲＯＭ２６に記憶されているシェーディング補正係数を修正するための複数組の修正係数の中から最適な１組の修正係数を選択し、その選択した１組の修正係数をＥＥＰＲＯＭ２６から読み出す。
【００４８】
この１組の修正係数は、前記シェーディング補正係数（ａ〜ｅ）に乗算されてシェーディング補正係数（シェーディング補正特性）を修正するもので、例えば、ある組の修正係数は、選択されたシェーディング補正特性を抑圧（シェーディング補正による画像信号の変化量を抑圧）する係数として用意されている。
【００４９】
図２に示した複数のブロックのうちの隣接するブロック同士、輝度が近似するブロック同士で、例えばＲ、Ｇ、Ｂの平均値の比が異なっている場合には、ブロック内のある色成分の画素が飽和していることが考えられる。また、複数のブロックの各色成分ごとの平均値から、シェーディング補正により飽和する色成分の画素が画面周辺部に存在することが分かる。
【００５０】
ＣＰＵ１８は、積算回路３２で算出された積算結果からこのような状況を判断し、適宜修正係数を選択し、この修正係数を前記読み出したシェーディング補正係数（ａ〜ｅ）に乗算し、その乗算した値（修正された）シェーディング補正係数（ａ′〜ｅ′）をシェーディング補正回路３４に出力する。
【００５１】
シェーディング補正回路３４は、ＣＰＵ１８から受け取った修正済みのシェーディング補正係数（ａ′〜ｅ′）と、画面中心からの距離ｘとに基づいて前記［数１］式によりシェーディング補正値を算出し、このシェーディング補正値が画面上の位置に応じて記憶されたシェーディング補正用の変換テーブルを作成する。そして、ＳＤＲＡＭ２４に蓄えられたＲ、Ｇ、ＢのＲＡＷデータを読み出すとともに、その読み出したＲＡＷデータの画面上の位置に応じて前記変換テーブルから対応するシェーディング補正値を読み出し、ＲＡＷデータにシェーディング補正値を乗算することにより該ＲＡＷデータをシェーディング補正する。このシェーディング補正したデータ（画像信号）は、再びＳＤＲＡＭ２４に蓄えられる。
【００５２】
デジタル信号処理回路３０は、ホワイトバランス調整回路、ガンマ補正回路、同時化回路、輝度・色差信号生成回路、輪郭補正回路等を含む画像処理手段として機能し、ＣＰＵ１８からのコマンドに従ってＳＤＲＡＭ２４を活用しながら所定の信号処理を行う。即ち、ＳＤＲＡＭ２４から読み出されたＲ、Ｇ、Ｂの画像信号は、ホワイトバランス調整回路によりＲ、Ｇ、Ｂの画像信号ごとにデジタルゲインをかけることでホワイトバランス調整が行われ、ガンマ補正回路によりガンマ特性に応じた階調変換処理が行われ、同時化回路により単板ＣＣＤのカラーフィルタ配列に伴う色信号の空間的なズレを補間して色信号を同時式に変換する同時化処理が行われる。同時化されたＲ、Ｇ、Ｂの画像信号は、更に輝度・色差データ生成回路により輝度信号Ｙと色差信号Ｃｒ、Ｃｂ（ＹＣ信号）に変換され、Ｙ信号は、輪郭補正回路により輪郭強調処理される。デジタル信号処理回路３０で処理されたＹＣ信号は再びＲＡＭ５６に蓄えられる。
【００５３】
上記のようにしてＳＤＲＡＭ２４に蓄えられたＹＣ信号は、圧縮伸長回路３６によって圧縮され、所定のフォーマット（例えば、ＪＰＥＧ（Joint Photographic Experts Group））形式の画像ファイルとして、外部メディア制御回路４０を介して記録媒体１６に記録される。記録媒体１６としては、デジタルカメラ１０Ａに着脱自在なｘＤピクチャカード（登録商標）、スマートメディア（登録商標）に代表される半導体メモリカード、可搬型小型ハードディスク、磁気ディスク、光ディスク、光磁気ディスク等、種々の記録媒体を用いることができる。
【００５４】
一方、操作部１２の再生ボタンを操作して再生モードが選択されると、記録媒体１６に記録されている最終コマの画像ファイルが外部メディア制御回路４０を介して読み出される。この読み出された画像ファイルの圧縮データは、圧縮伸長回路３６を介して非圧縮のＹＣ信号に伸長される。
【００５５】
伸長されたＹＣ信号は、ＳＤＲＡＭ２４（又は図示しないＶＲＡＭ）に保持され、表示制御回路３８によって表示用の信号形式に変換されて表示装置１４に出力される。これにより、表示装置１４には記録媒体１６に記録されている最終コマの画像が表示される。
【００５６】
その後、順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置の画像ファイルが記録媒体１６から読み出され、上記と同様にして画像が表示装置１４に再生される。
【００５７】
＜第１実施形態＞
次に、第１実施形態のデジタルカメラ１０Ａにおける撮影動作（主としてシェーディング補正処理を含む撮影動作）ついて説明する。
【００５８】
図３は第１実施形態のデジタルカメラ１０Ａにおける撮影動作の一例を示すフローチャートである。同図において、まず、シャッターボタンの半押し時（スイッチＳ１のＯＮ時）にＡＥ、ＡＦ用に取得される画像信号に基づいて撮影条件を設定する（ステップＳ１０）。尚、撮影条件としては、シャッタースピード、撮影感度（ゲイン）、被写体の明るさ、被写界の色温度や被写界の光源種、絞り径の他に、ズーム操作に基づくズーム倍率、モードレバーによる撮影モード（風景モード、夜景モード等）が考えられる。
【００５９】
上記設定された撮影条件に基づいてＥＥＰＲＯＭ２６に記憶されている複数組のシェーディング補正係数のうちの最適なシェーディング補正係数（ａ〜ｅ）を選択する（ステップＳ１２）。例えば、暗いシーンの場合は、明るいシーンよりもシェーディング補正量が大きくなるようなシェーディング補正係数を選択する。
【００６０】
次に、シャッターボタンが全押し（スイッチＳ２がＯＮ）されると、本撮影が行われ、ＣＣＤ５０からアナログ信号処理回路５２、Ａ／Ｄ変換回路５４を介してＲ、Ｇ、ＢのＲＡＷデータがＳＤＲＡＭ２４に取り込まれる（ステップＳ１４、Ｓ１６）。
【００６１】
続いて、図２に示したように複数のブロックの各色成分ごとに平均値を算出する（ステップＳ１８）。そして、前記算出した平均値に基づいて前記選択したシェーディング補正係数（ａ〜ｅ）に対して、予めＥＥＰＲＯＭ２６に記憶されている複数組の修正係数Ａ、Ｂ、Ｃのうちから最適な修正係数を選択する（ステップＳ２０〜Ｓ２６）。例えば、画面周辺部のブロックのある色成分の画素が飽和している、又はシェーディング補正により飽和する色成分の画素が画面周辺部に存在すると判別されると、シェーディング補正による信号レベルの増加を抑圧するような修正係数を選択する。尚、修正係数の数は、修正係数Ａ，Ｂ，Ｃの３組に限らない。また、修正係数には、シェーディング補正係数を修正しない修正係数（全て「１」）も含まれる。
【００６２】
次に、ステップＳ１２で選択したシェーディング補正係数（ａ〜ｅ）と、ステップＳ２２〜２６のいずれかによって選択した修正係数とを乗算することにより、修正されたシェーディング補正係数（ａ′〜ｅ′）を取得する（ステップＳ２８）。尚、この実施の形態では、選択されたシェーディング補正係数（ａ〜ｅ）に別途選択された修正係数を乗算して修正されたシェーディング補正係数（ａ′〜ｅ′）を得るようにしたが、これに限らず、ＥＥＰＲＯＭ２６に各撮影条件に応じて修正されたシェーディング補正係数（ａ′〜ｅ′）を複数組記憶させておき、撮影条件と複数のブロックの各色成分ごと算出した平均値とに基づいて直接シェーディング補正係数（ａ′〜ｅ′）を選択するようにしてもよい。
【００６３】
続いて、前記選択したシェーディング補正係数（ａ′〜ｅ′）に基づいて前記［数１］式により画面上の位置に応じてシェーディング補正値が記憶された変換テーブルを作成する（ステップＳ３０）。そして、ＳＤＲＡＭ２４に蓄えられたＲ、Ｇ、ＢのＲＡＷデータを読み出すとともに、その読み出したＲＡＷデータの画面上の位置に応じて前記変換テーブルから対応するシェーディング補正値を読み出し、ＲＡＷデータにシェーディング補正値を乗算することにより該ＲＡＷデータをシェーディング補正する（ステップＳ３２）。このシェーディング補正したデータ（画像信号）に対してホワイトバランス調整、ガンマ補正等のその他のデジタル信号処理を施し（ステップＳ３４）、この信号処理後の画像信号をＪＰＥＧ圧縮して記録媒体１６に記録する（ステップＳ３６）。
【００６４】
即ち、第１実施形態のシェーディング補正では、本撮影時に取得したＲＡＷデータをＳＤＲＡＭ２４に格納するとともに、そのＲＡＷデータに基づいて画面内の複数のブロックの各色成分ごとに平均値を算出し、その算出結果に基づいて修正係数を選択してシェーディング補正係数（ａ〜ｅ）の修正、及び修正したシェーディング補正係数（ａ′〜ｅ′）による変換テーブルの作成を行う。そして、この変換テーブルを用いてＳＤＲＡＭ２４に格納したＲＡＷデータのシェーディング補正を行うようにしている。
【００６５】
＜第１実施形態の変形例＞
図４は第１実施形態のデジタルカメラ１０Ａにおける撮影動作の変形例を示すフローチャートである。尚、図３に示したフローチャートと共通する部分には同一のステップ番号を付し、その詳細な説明は省略する。
【００６６】
図３のフローチャートに示した実施形態では、本撮影時に取得したＲＡＷデータに基づいて修正係数を選択するようにしたが、図４に示す実施形態では、ＡＥ測光時に取得したＲＡＷデータに基づいて修正係数を選択し、本撮影前に変換テーブルを作成する点で相違する。
【００６７】
図４において、まず、シャッターボタンの半押し時（スイッチＳ１のＯＮ時）にＡＥ用にＣＣＤ５０からアナログ信号処理回路５２、Ａ／Ｄ変換回路５４を介してＲ、Ｇ、ＢのＲＡＷデータを取り込む（ステップＳ４０）。ＡＥ測光は、前記取り込んだＲ、Ｇ、ＢのＲＡＷデータのうちのＧ信号を使用し、例えば、１画面をｎ×ｍ（例えば、８×８）に分割した分割領域ごとにＧ信号の積算平均値（輝度値）を算出し、更に測光方式（中央重点測光、平均測光等）に応じて分割測光した輝度値を重み付け加算し、この重み付け加算した値と、前記ＲＡＷデータを取得したときのシャッタースピード、絞り値及び撮影感度とに基づいて被写体輝度を算出する（ステップＳ４２）。
【００６８】
続いて、前記被写体輝度に基づいて所望の明るさの画像を本撮影するためのシャッタースピード、絞り値、及び撮影感度等を算出し、本撮影時にこれらの値を設定する（ステップＳ４４、Ｓ４６）。
【００６９】
ステップＳ１０での撮影条件は、上記ステップＳ４２で求めた被写体輝度や、ステップＳ４４で求めたシャッタースピード等を利用して設定することができ、この設定された撮影条件に基づいてシェーディング補正係数（ａ〜ｅ）の選択が行われる（ステップＳ１２）。
【００７０】
一方、ステップＳ１８からＳ３０までの処理は、図３に示した処理と同様であるが、ＡＥ測光時に取り込んだＲ、Ｇ、ＢのＲＡＷデータを使用する点で相違する。
【００７１】
次に、シャッターボタンが全押し（スイッチＳ２がＯＮ）されると、本撮影が行われ、ＣＣＤ５０からアナログ信号処理回路５２、Ａ／Ｄ変換回路５４を介してＲ、Ｇ、ＢのＲＡＷデータが取り込まれ、ＳＤＲＡＭ２４に格納される（ステップＳ１４、Ｓ４８）。
【００７２】
続いて、ＳＤＲＡＭ２４に格納されたＲ、Ｇ、ＢのＲＡＷデータに対するシェーディング補正が行われるが、本撮影前にステップＳ３０でシェーディング補正用の変換テーブルが作成されているため、本撮影後、直ちに変換テーブルを使用してシェーディング補正を実施することができる（ステップＳ３４）。
【００７３】
＜第２実施形態＞
図５は本発明に係る第２実施形態の撮像装置（デジタルカメラ）１０Ｂの構成を示すブロック図である。尚、図１に示した第１実施形態のデジタルカメラ１０Ａと共通する部分には同一の符号を付し、その詳細な説明は省略する。
【００７４】
図５に示すデジタルカメラ１０Ｂは、図１に示したデジタルカメラ１０Ａと比較し、シェーディング補正回路３４の代わりにシェーディング補正回路７０が設けられている点で相違するとともに、Ａ／Ｄ変換回路５４からＲ、Ｇ、ＢのＲＡＷデータを直接シェーディング補正回路７０に出力できる点で相違する。
【００７５】
このデジタルカメラ１０Ｂでは、ＡＥ測光時時に作成したシェーディング補正用の変換テーブルを使用し、本撮影時にＡ／Ｄ変換回路５４から出力されるＲ、Ｇ、ＢのＲＡＷデータは、ＳＤＲＡＭ２４に格納される前に、シェーディング補正回路７０によってシェーディング補正され、その後、ＳＤＲＡＭ２４に格納するようにしている。
【００７６】
図６は第２実施形態のデジタルカメラ１０Ｂにおける撮影動作を示すフローチャートである。尚、図４に示したフローチャートと共通する部分には同一のステップ番号を付し、その詳細な説明は省略する。
【００７７】
図６に示すように、ＡＥ測光時に取り込んだＲ、Ｇ、ＢのＲＡＷデータ等に基づいて本撮影前にステップＳ３０でシェーディング補正用の変換テーブルを作成する点では、図４に示した実施形態と同様である。
【００７８】
図４に示した実施形態では、本撮影時に取得したＲ、Ｇ、ＢのＲＡＷデータは、一旦ＳＤＲＡＭ２４に格納された後、ＳＤＲＡＭ２４から読み出されてシェーディング補正が実施されるが、図６に示した実施形態では、本撮影時にＡ／Ｄ変換回路５４から出力されるＲ、Ｇ、ＢのＲＡＷデータは、シェーディング補正回路７０によってシェーディング補正され（ステップＳ３２）、その後、ＳＤＲＡＭ２４に格納される（ステップＳ４８）。
【００７９】
即ち、この実施形態によれば、画像取り込みと同時にシェーディング補正までの処理を終了することができ、信号処理に関わる時間の短縮が可能である。
【００８０】
＜第３実施形態＞
図７は本発明に係る第３実施形態の撮像装置（デジタルカメラ）１０Ｃの構成を示すブロック図である。尚、図１に示した第１実施形態のデジタルカメラ１０Ａ、及び図５に示した第２実施形態のデジタルカメラ１０Ｂと共通する部分には同一の符号を付し、その詳細な説明は省略する。
【００８１】
図７に示すデジタルカメラ１０Ｃは、図１に示したシェーディング補正回路３４と、図５に示したシェーディング補正回路７０の両者を備えている点で相違するとともに、Ａ／Ｄ変換回路５４からＲ、Ｇ、ＢのＲＡＷデータをデータバス２２及びシェーディング補正回路７０にそれぞれ出力できる点で相違する。
【００８２】
このデジタルカメラ１０Ｃでは、本撮影時にＡ／Ｄ変換回路５４から出力されるＲ、Ｇ、ＢのＲＡＷデータのシェーディング補正を、ＳＤＲＡＭ２４に一旦格納してから行うシーケンスと、ＳＤＲＡＭ２４に格納する前に行うシーケンスとを選択することができるようになっている。
【００８３】
図８は第３実施形態のデジタルカメラ１０Ｃにおける撮影動作を示すフローチャートである。尚、図６に示したフローチャートと共通する部分には同一のステップ番号を付し、その詳細な説明は省略する。
【００８４】
図８に示すように、図６に示したフローチャートと比較してステップ５０が追加されている。このステップ５０では、例えば、ステップＳ１８で取得した複数のブロックの各色成分ごとの平均値に基づいて取得平均値が予め設定した閾値以上に明るい画像か閾値以下の暗い画像かを判別し、明るい画像の場合には、シェーディング補正をＳＤＲＡＭ２４に一旦格納してから行うシーケンスを選択し、暗い画像の場合には、シェーディング補正をＳＤＲＡＭ２４に格納する前に行うシーケンスを選択する。暗い画像の場合には、色シェーディング（色ムラ）が目立たないため、処理時間の短縮を優先させるためである。
【００８５】
本撮影時にＡ／Ｄ変換回路５４から取得されたＲ、Ｇ、ＢのＲＡＷデータは、ステップＳ５０で選択されたシーケンス順にしたがってシェーディング補正が行われる（ステップＳ５２）。即ち、シェーディング補正をＳＤＲＡＭ２４に格納する前に行うシーケンスが選択されている場合には、ステップＳ５２からステップＳ３２に進み、ここで、シェーディング補正を実施し、その後、ＳＤＲＡＭ２４に格納する（ステップＳ４８）。一方、シェーディング補正をＳＤＲＡＭ２４に一旦格納してから行うシーケンスが選択されている場合には、ステップＳ５２からステップＳ４８に進み、一旦ＳＤＲＡＭ２４にＲＡＷデータを格納し、その後、ＳＤＲＡＭ２４からＲＡＷデータを読み出してシェーディング補正を実施する（ステップＳ３２）。
【００８６】
尚、一旦ＳＤＲＡＭ２４にＲＡＷデータを格納してからシェーディング補正を実施する場合には、図８のフローチャートには記載していないが、ＳＤＲＡＭ２４に格納されたＲＡＷデータを基に修正係数の選択や変換テーブルの作成を行うことが好ましい。
【００８７】
また、Ｒ、Ｇ、ＢのＲＡＷデータをＳＤＲＡＭ２４に一旦格納した後にシェーディング補正を行う場合にはシェーディング補正回路３４を使用し、Ｒ、Ｇ、ＢのＲＡＷデータをＳＤＲＡＭ２４に格納する前にシェーディング補正を行う場合にはシェーディング補正回路７０を使用するが、これらのシェーディング補正回路３４、７０は共通のものでもよい（１つのシェーディング補正回路を共用してもよい）。
【００８８】
＜第１実施形態の他の変形例＞
図９は図１に示した第１実施形態のデジタルカメラ１０Ａにおける撮影動作の他の変形例を示すフローチャートである。尚、図４に示したフローチャートと共通する部分には同一のステップ番号を付し、その詳細な説明は省略する。
【００８９】
図４のフローチャートに示した実施形態では、ＡＥ測光時に取得したＲＡＷデータに基づいて修正係数を選択するようにしたが、図９に示す実施形態では、ＡＦ制御時に取得したＲＡＷデータに基づいて修正係数を選択する点で相違する。
【００９０】
即ち、ＡＦ制御には、フォーカスレンズを至近から無限遠に対応するレンズ位置に順次移動させ（ステップＳ６０）、各レンズ位置毎にＣＣＤ５０を介して画像信号を取り込み（ステップＳ６２）、その画像信号中に含まれる高周波成分を抽出して積算し、その積算値（ＡＦの評価値）を取得する（ステップＳ６４）。この評価値がピークとなるレンズ位置を合焦位置とし、そのレンズ位置にフォーカスレンズを移動させる（ステップＳ６６）。
【００９１】
即ち、上記ＡＦ制御用にＣＣＤ５０からアナログ信号処理回路５２、Ａ／Ｄ変換回路５４を介して取得されるＲ、Ｇ、ＢのＲＡＷデータを利用してステップＳ１８からステップＳ３０の処理を実施し、シェーディング補正用の変換テーブルを作成するようにしている。
【００９２】
＜第２実施形態の変形例＞
図１０は図５に示した第２実施形態のデジタルカメラ１０Ｂにおける撮影動作の変形例を示すフローチャートである。尚、図６に示したフローチャート及び図９に示したフローチャートと共通する部分には同一のステップ番号を付し、その詳細な説明は省略する。
【００９３】
図６のフローチャートに示した実施形態では、ＡＥ測光時に取得したＲＡＷデータに基づいて修正係数を選択するようにしたが、図１０に示す実施形態では、図９に示したフローチャートと同様に、ＡＦ制御時に取得したＲＡＷデータに基づいて修正係数を選択する点で相違する。
【００９４】
＜第４実施形態＞
図１１は本発明に係る第４実施形態の撮像装置（デジタルカメラ）１０Ｄの構成を示すブロック図である。尚、図７に示した第３実施形態のデジタルカメラ１０Ｃと共通する部分には同一の符号を付し、その詳細な説明は省略する。
【００９５】
図１１に示すデジタルカメラ１０Ｄは、図７に示したデジタルカメラ１０Ｃに対してタイマー８０が追加されている点で相違する。
【００９６】
このタイマー８０は、シャッターボタンの半押しによる撮影準備動作（ＡＥ，ＡＦ動作）とシャッターボタンの全押しによる本撮影動作との間隔を計測する。この計測した間隔の長短に応じて後述するようにシェーディング補正のシーケンスを選択するようにしている。
【００９７】
図１２は図１１に示した第４実施形態のデジタルカメラ１０Ｄにおける撮影動作を示すフローチャートである。尚、図８に示したフローチャート及び図９に示したフローチャートと共通する部分には同一のステップ番号を付し、その詳細な説明は省略する。
【００９８】
図８のフローチャートに示した実施形態では、ステップＳ５０にて画像の明るさ等に応じてシェーディング補正のシーケンスを選択するようにしたが、図１２に示す実施形態では、ステップＳ５０の代わりに、ステップＳ６０からステップＳ６４の処理によってシェーディング補正のシーケンスを選択するようにしている。
【００９９】
タイマー８０は、シャッターボタンの半押しによる合焦動作終了時（又は合焦動作開始時）に起動し（ステップＳ６０）、この時点からシャッターボタンの全半押しによる本画像取り込み指示の入力時点まで間隔を計測する（ステップＳ６２）。この間隔に基づいて合焦動作と撮影動作とが一連の動作であるか否かの判定を行い、一連の動作と見なせる場合には、撮影準備動作時に取得したＲＡＷデータと、本撮影時に取得したＲＡＷデータとは近似しているため、処理時間を優先してＲ、Ｇ、ＢのＲＡＷデータをＳＤＲＡＭ２４に格納する前にシェーディング補正を行うシーケンスを選択し、一連の動作と見なせない場合には、両者のＲＡＷデータが大きく異なっている可能性があるため、ＲＡＷデータをＳＤＲＡＭ２４に一旦格納した後にシェーディング補正を行うシーケンスを選択する（ステップＳ６４）。
【０１００】
尚、この実施形態では、撮像装置としてデジタルカメラを例に説明したが、本発明に係る撮像装置は、カメラ付き携帯電話の撮像装置でもよい。
【図面の簡単な説明】
【０１０１】
【図１】図１は本発明に係る第１実施形態の撮像装置（デジタルカメラ）の構成を示すブロック図である。
【図２】図２（Ａ）及び（Ｂ）はそれぞれ明るいシーン及び暗いシーンを撮影した時のイメージ図である。
【図３】図３は第１実施形態のデジタルカメラにおける撮影動作の一例を示すフローチャートである。
【図４】図４は第１実施形態のデジタルカメラにおける撮影動作の変形例を示すフローチャートである。
【図５】図５は本発明に係る第２実施形態のデジタルカメラの構成を示すブロック図である。
【図６】図６は第２実施形態のデジタルカメラにおける撮影動作を示すフローチャートである。
【図７】図７は本発明に係る第３実施形態のデジタルカメラの構成を示すブロック図である。
【図８】図８は第３実施形態のデジタルカメラにおける撮影動作を示すフローチャートである。
【図９】図９は図１に示した第１実施形態のデジタルカメラにおける撮影動作の他の変形例を示すフローチャートである。
【図１０】図１０は図５に示した第２実施形態のデジタルカメラにおける撮影動作の変形例を示すフローチャートである。
【図１１】図１１は本発明に係る第４実施形態のデジタルカメラの構成を示すブロック図である。
【図１２】図１２は図１１に示した第４実施形態のデジタルカメラ１０Ｄにおける撮影動作を示すフローチャートである。
【符号の説明】
【０１０２】
１０Ａ，１０Ｂ，１０Ｃ，１０Ｄ…撮像装置（デジタルカメラ）、１２…操作部、１４…表示装置、１６…記録媒体、１８…中央処理装置（ＣＰＵ）、２４…ＳＤＲＡＭ、２６…ＥＥＰＲＯＭ、３０…デジタル信号処理回路、３２…積算回路、３４、７０…シェーディング補正回路、４２…撮影レンズ、４４…絞り、５０…ＣＣＤ、５２…アナログ信号処理回路、５４…Ａ／Ｄ変換回路、８０…タイマー
【図１】
2008053931.tif 000003
【図２】
2008053931.tif 000004
【図３】
2008053931.tif 000005
【図４】
2008053931.tif 000006
【図５】
2008053931.tif 000007
【図６】
2008053931.tif 000008
【図７】
2008053931.tif 000009
【図８】
2008053931.tif 000010
【図９】
2008053931.tif 000011
【図１０】
2008053931.tif 000012
【図１１】
2008053931.tif 000013
【図１２】
2008053931.tif 000014